(57)【要約】【課題】  魚の好奇心を煽るような動きを有し、より多くの魚を集めることが出来、しかも海洋汚染を引き起こさず、生命体としての地球に優しい集魚装置を提供する。【解決手段】  発光手段２及びこの発光手段２に給電する電源部３をケーシング１０内に収容する。発光手段２は、複数の発光部６と、この複数の発光部６を発光可能にする制御部７とを備えた構造とする。制御部７は、通電によってクロック信号を生成、出力する第一回路８と、出力されたクロック信号を受け取ってカウント値を変化させ、作動する発光部６を順次制御する第二回路９とから構成し、発光部６が順次点灯するようにした集魚装置１とする。【選択図】図１
2006325498.tif 000002
【特許請求の範囲】
【請求項１】
発光手段及びこの発光手段に給電する電源部をケーシング内に収容した集魚装置であって、
前記発光手段は、複数の発光部と、この複数の発光部を順次点滅させる制御部を備えていることを特徴とする集魚装置。
【請求項２】
前記複数の発光部は、前記ケーシングの水平方向周胴部に所定間隔をあけて配されていることを特徴とする請求項１に記載の集魚装置。
【請求項３】
前記ケーシングは、底部に錘を備えることを特徴とする請求項１または２に記載の集魚装置。
【請求項４】
前記発光手段は、前記ケーシングの表面に所定間隔をあけて露出して配した二つの電極間が通電することにより動作するものであることを特徴とする請求項１から３の何れかに記載の集魚装置。
【発明の詳細な説明】
【技術分野】
【０００１】
本発明は、集魚装置に係るものであり、詳しくは、水中で発光し、光に集まる性質を利用して魚介類を集める集魚装置に関する。
【背景技術】
【０００２】
従来、釣りを行う際に魚を集める目的で、アミやイワシミンチといった、いわゆる「こませ」と称されるまき餌を使用することがある。
ところが、このようなまき餌は、磯や岸壁まわりを汚染し、周囲に不快な環境をもたらすことから、自然環境の保護が叫ばれる現在では、使用することが控えられる傾向にある。しかも、まき餌を使用禁止とする地域が近年増えてきている。
【０００３】
一方、従来から、たとえばカワハギやカサゴなど、ある種の魚種には光に集まる性質（走光性）のあることが知られており、この性質を利用した発光する釣具が種々提案されている。
たとえば、大径部として形成する本体に小径部を一体に設けたおもり部材の上記小径部を、中心部に貫通孔が設けられ、側部にスリットが形成された発光部材における上記貫通孔に装着して組み合わせ、上記おもり部材と発光部材とを一体化したおもりがある（特許文献１参照）。
また、透明な容器と、この容器に収納される電池及び青色発光ダイオードと、を備えてなる集魚用釣り具がある（特許文献２参照）。
さらに、発光部及びこの発光部を発光させる電源部を内蔵した発光釣具を構成するに際して、予め設定した発色プログラムに従って発光部の発色を変化させる制御部を備える発光釣具もある（特許文献３参照）。
【０００４】
【特許文献１】特開平１１−３１８２９６号公報
【特許文献２】特開２０００−１８４８４０号公報
【特許文献３】特開２００２−１９９８２８号公報
【発明の開示】
【発明が解決しようとする課題】
【０００５】
しかしながら、上述した発光部材は、何れも海中で発光状態のままであるので、変化が少なく、静止しているように見えて魚の好奇心を煽りにくく、多くの魚を集めることはできない。
また、発光部材を点滅させることも考えられるが、この場合も発光部材がその場で点滅するだけで、やはり変化が少なく魚の好奇心を煽りにくい感がある。
【０００６】
本発明は、上記事情に鑑みてなされたものであって、魚の好奇心を煽るような動きを有し、より多くの魚を集めることが出来、しかも海洋汚染を引き起こさず、生命体としての地球に優しい集魚装置を提供することを目的とする。
【課題を解決するための手段】
【０００７】
本発明の請求項１に係る集魚装置は、発光手段及びこの発光手段に給電する電源部をケーシング内に収容した集魚装置であって、前記発光手段は、複数の発光部と、この複数の発光部を順次点滅させる制御部を備えていることを特徴とする。
このように、複数の発光部と、この複数の発光部を順次点滅させる制御部とを備えることにより、単に発光部を点滅させるのと比べて、発光部の発光に連続した動きが付与されるものとなる。したがって、魚の好奇心を煽り、集魚効果を高めることが出来る。
【０００８】
本発明の請求項２に係る集魚装置は、請求項１において、複数の発光部が、前記ケーシングの水平方向周胴部に所定間隔をあけて配されていることを特徴とする。
このように、複数の発光部をケーシングの水平方向周胴部に所定間隔をあけて配すことにより、発光部に裏表が無く、どの方向から見ても発光部の連続した動きが確認できるものとなる。したがって、より多くの魚の好奇心を煽り、一層集魚効果を高めることが出来る。
【０００９】
本発明の請求項３に係る集魚装置は、請求項１または２において、前記ケーシングは、底部に錘を備えることを特徴とする。
このように、複数の発光部が配されたケーシングの底部に錘を備えることにより、通常使用する錘内に集魚装置が内蔵されたような構造となり、仕掛けの邪魔にならずに集魚装置を取り付けることが出来る。
【００１０】
本発明の請求項４に係る集魚装置は、請求項１から３の何れかにおいて、前記発光手段は、前記ケーシングの表面に所定間隔をあけて露出して配した二つの電極が通電することにより動作するものであることを特徴とする。
このように、ケーシングの表面に所定間隔をあけて露出して二つの電極を配し、この二つの電極が通電することにより発光手段が動作するようにしたことにより、集魚装置を海水等の電導性のある液体に投入することでスイッチが自動的に導通してオン状態となり、発光手段が発光する。また、集魚装置を海水等から引き上げることでスイッチがオフ状態になるため、スイッチを切り忘れてバッテリが激しく消耗することを防止することができ、バッテリを交換することなく長時間使用することが可能になる。
【発明の効果】
【００１１】
この発明の集魚装置によれば、発光部の発光が順次点滅した状態で継続し、光が拡散されるため、魚の目に留まりやすく、あたかもえさになる生き物がいるかのように見え、魚の興味をひいてヒットチャンスが多くなるという効果が期待できる。
また、発光体から発する光を順番に点滅させたり、不規則に点滅させたり、光の色相を変化させることができるので、魚の好奇心を一層誘うことが可能となる。
さらに、手間を要さず簡単に、しかも海洋汚染を引き起こす虞なく、利用することができる。
【発明を実施するための最良の形態】
【００１２】
以下、本発明を図面に基づいて詳細に説明する。
図１は、本発明の集魚装置の一例を示す側断面図である。本実施形態の集魚装置１は、発光手段２と、この発光手段２に給電する電源部３とをケーシング１０内に収容することを基本構成とし、発光手段２を構成する発光部６を複数設けて、この発光部６を順次点滅させるように制御するものである。
【００１３】
発光手段２は、複数の発光部６と、この複数の発光部６を順次点滅させる制御部７とを少なくとも備えている。
発光部６は、本実施形態の場合、たとえば電流を流すことによって発光する光半導体である発光ダイオード（ＬＥＤ）を選択することが出来る。発光部６として発光ダイオードを採用することにより、高輝度を確保した点灯が可能となる。発光ダイオードの発光色は、赤、青、緑、黄、白等がある。海況、潮、時間、魚の活性などにより発光色を適宜選択して使用することができるように、それぞれの発光色の発光ダイオードを使用した集魚装置を用意しておくことが望ましい。
また、発光部６は、図１に示す本実施形態の集魚装置１では、ケーシング１０の水平方向周胴部の表面から突出するように露出して配された構造となっているが、発光部６の発光が周囲に十分に拡散されるのであれば、このような構造に限定されない。したがって、たとえばケーシング１０を透明または透光性を有する部材で形成し、発光部６の発光が周囲に拡散可能となるような構造としても良い。
【００１４】
複数の発光部６を順次点滅させるような制御は、たとえば通電によってクロック信号を生成、出力する第一回路８と、出力されたクロック信号を受け取ってカウント値を変化させ、作動する発光部６を順次制御する第二回路９とを有する制御部７により達成できる。
第一回路８としては、本実施形態の場合、たとえばオシレータ回路（ＯＳＣ）を選択することが出来る。このオシレータ回路８は、内部で動作の基準になるタイミングを計るクロック信号を生成する。そして、生成されたクロック信号は、第二回路９へ出力される。
また、第二回路９としては、本実施形態の場合、たとえば歩進回路を選択することが出来る。この歩進回路９は、いわゆるデコードカウンタであり、オシレータ回路８から出力されたクロック信号を受け取るたびにカウント値を変化（歩進）させることで、発光部６を切り替えるように制御する。この発光部６を制御する方法としては、複数の発光部６が順次巡回的に規則的に点滅するようにし、または不規則に点滅するようにすることが考えられるが、順次規則的に点滅するようにしても十分所期の効果を得ることができる。
【００１５】
また、発光手段２は、ケーシング１０の表面に所定間隔をあけて露出して配した二つの電極４，５相互間が通電することにより動作する構造となっている。これにより、集魚装置１が水中に投げ込まれ、二つの電極４，５間に水が介在してこれを検知し、電極４，５相互間が導通した状態となった場合に、発光部６を作動させる。そして、集魚装置1を水中から引き上げると、二つの電極４，５相互間が非通電状態になって発光は止まる。
【００１６】
ケーシング１０は、たとえば全体が中空紡錘形に形成されてなるもので、この内部に、筒状の保護枠体１４が配されている。保護枠体１４は、たとえば塩化ビニール樹脂製の中空管よりなり、その内部１４ａに、電源部３と、電源部３を発光エネルギ源として発光する発光部６と、発光部６の発光を制御する制御部７を収納することで、周囲からの衝撃などからこれらを保護可能としている。また、保護枠体１４には、発光部６を外部に露出させるための挿通用の孔部１６が形成されており、この孔部１６を介して発光部６の先端側がケーシング１０の表面から突出している。なお、保護枠体１４の内部１４ａに収容された制御部７等の回路周囲には、衝撃等から制御部７等をより効果的に保護するために、空隙部を無くすための充填材、たとえばエポキシ樹脂のような合成樹脂が充填されている。
【００１７】
電源部３は、たとえばリチウム電池からなり、無石綿電気絶縁性を有するシール材１３で周囲が覆われている。発光ダイオードを用いた発光部６は、電源部３としてリチウム電池のような小型の電源を用いてもより高輝度の発光が得られるので、効率の良い集魚が可能となる。具体的には、本実施形態の場合、３Ｖのリチウム電池２個を貼り合わせて電源部３を構成しており、これによって２０００ｍｃｄの高輝度を得ている。
【００１８】
また、上述した複数の発光部６は、ケーシング１０の水平方向周胴部に所定間隔をあけて配すると良い。発光部６の数としては、特に限定されないが、３個から６個程度が望ましい。このように、ケーシング１０の水平方向周胴部に複数の発光部６を配し、この発光部６を順次点滅させることで、連続する発光が生き物のようにくるくる回って動くものとなり、魚の興味を惹きつけるものとなる。
【００１９】
また、ケーシング１０には、頂部１０ａにテグス等が結び付けられるフック１２が取付けられるとともに、ケーシング１０の底部１０ｂに絶縁体１５を挟んで錘１１が取り付けられている。このフック１２は、ケーシング１０の縦断面に沿うように下方に伸びる形状をしていて、その下端部１２ａがケーシング１０の底部１０ｂより下方にはみ出す構造となっている。フック１２のはみ出した下端部１２ａに錘１１が絡みつくことにより、錘１１がケーシング１０から離脱しないようになっている。フック１２は、本実施形態では無端環状に形成されており、錘１１の一部を係止するように取り付ければ、錘１１が無闇に離脱しないように強固に取り付けることが出来るようになっている。この錘１１の重量としては、たとえば８０ｇ〜７００ｇぐらいとすることが出来、魚種により適宜使い分けるものとする。このように、ケーシング１０の底部１０ｂに錘１１を配置することにより、通常用いる純然たる錘１１と一体として、仕掛けの邪魔にならずに集魚装置１を取り付けることが出来る。
なお、本実施形態では、ケーシング１０と錘１１との間に絶縁体１５を有する構造となっているが、絶縁体１５は錘１１が導体である場合に必要なものであって、錘１１が導体で無い場合には必ずしも必要でない。
【００２０】
また、ケーシング１０には、たとえばエポキシ樹脂のような防水コーティングを施すものとする。これにより、防水性が高められ、水中への投入中にケーシング１０の内部に水が浸入して電気回路がショートすることがなくなる。
さらに、ケーシング１０を分解可能に構成するようにしても良い。これによって電源部３としてのリチウム電池の交換が可能となる。
【００２１】
次に、本実施形態に示す集魚装置１の電気的構造の一例を説明する。
図２は、集魚装置の構造の一例を示す回路図である。集魚装置１は、リチウム電池を２個直列した電源部を有し、この電源部に接続された二つの電極４，５を有している。この電極４，５は、この電極４，５とともに自動スイッチを構成するトランジスタのコレクタとベースに接続され、電極４，５間に海水などが介在して電極４，５間に電流が流れることにより、トランジスタがオンするように接続されている。上記トランジスタよって構成された自動スイッチがオンすることにより、オシレータ回路８、歩進回路９に電源が供給され、オシレータ回路８、歩進回路９が動作するようになっている。歩進回路９の三つの歩進出力端子はスイッチング動作するトランジスタのベースに接続されて、これらのトランジスタをオン・オフ制御するように構成されている。この各トランジスタは各発光ダイオードへの電源供給回路をオン・オフするように構成されていて、一つのトランジスタがオンすることによって、これに対応する発光ダイオードからなる発光部６が発光するように構成されている。なお、図２に示す回路図は、発光部６を三つ配した場合の集魚装置１を示す。
【００２２】
このような構造の集魚装置１を海中等に投入すると、電極４，５が通電することによりスイッチが自動的にオン状態となり、オシレータ回路８及び歩進回路９に電源が供給される。すると、オシレータ回路８からはクロック信号が所定のタイミングで順次出力され、歩進回路９に送られる。そして、歩進回路９では、送られたクロック信号を受け取ってカウント値を変化（歩進）させ、そのカウント値に応じた発光部６の動作を行なう。
【００２３】
本実施形態では、歩進回路９がクロック信号を受け取るごとに、カウント値が規則的に巡回するように切り替えられるものとなっている。すなわち、最初にクロック信号を受け取るとカウント値１とし、次のクロック信号を受け取ると歩進してカウント値２とし、さらに次のクロック信号を受け取ると歩進してカウント値３とし、そして次のクロック信号を受け取ると歩進して再びカウント値１に戻り、以後同様にカウント値の切り替えを繰り返す。
したがって、たとえば、図３に示すように発光部６は動作する。図３は、発光部の点滅動作を順次説明する底面図である。まず、電極４，５が通電してスイッチがＯＮ状態となると、オシレータ回路８からのクロック信号が出力され、この出力されたクロック信号を歩進回路９が受け取ることに伴って最初第一の発光部６ａが点灯する（（ａ）参照）。次いで、歩進回路９が再びオシレータ回路８からのクロック信号を受け取ると、カウント値を歩進させ、第一の発光部６ａを消灯させて、第二の発光部６ｂを点灯させる（（ｂ）参照）。さらに、歩進回路９が再びオシレータ回路８からのクロック信号を受け取ると、カウント値を歩進させ、第二の発光部６ｂを消灯させて、第三の発光部６ｃを点灯させる（（ｃ）参照）。そして、以後同様に歩進回路９はオシレータ回路８からのクロック信号を受け取り、カウント値を変化させて動作させる発光部６を切り替え、第三の発光部６ｃを消灯させて、再び第一の発光部６ａを点灯させる（（ａ）参照）、といった動作を繰り返す。
なお、本実施形態では、発光部６が三つの場合について説明したが、これに限らず三つ以上の発光部６を有していても良く、歩進回路９の歩進出力で順番に各発光部６を動作させるように接続することにより、上記の動作と同様に発光部６を順番に発光動作させることができる。また、本発明では、このような発光部６の規則的な動作に限定されることなく、発光部６が不規則に点滅するように、カウント方法を変えたり、カウント値にしたがって動作する発光部６の位置や数を変えたりしても良い。
【００２４】
以上のように構成した集魚装置１は、図４に示すように、釣り竿から水中に垂らされた釣り糸に連結され、海中へ浸漬される。そうすると、集魚装置１のケーシング１０から露出するように配された二つの電極４，５が水を検知して前述のトランジスタからなる自動スイッチをオンさせて各回路に電源を供給し、各回路を動作させて複数設けた発光部６を順次点滅させるように作動を制御する。
そして、このような発光部６が順次点滅する発光によって魚の好奇心を煽り、より多くの魚を集めることが出来る。
【図面の簡単な説明】
【００２５】
【図１】本発明に係る集魚装置の一例を簡略的に示す側断面図である。
【図２】図１に示す集魚装置の構造を説明する回路図である。
【図３】図１に示す集魚装置における発光部の点滅動作を順次説明する図である。
【図４】図１に示す集魚装置の使用状態を示す概略図である。
【符号の説明】
【００２６】
１・・・集魚装置
２・・・発光手段
３・・・電源部
４・・・第一電極
５・・・第二電極
６・・・発光部（発光ダイオード）
７・・・制御部
８・・・第一回路（オシレータ回路）
９・・・第二回路（歩進回路）
１０・・・ケーシング
１１・・・錘
１２・・・フック
【図１】
2006325498.tif 000003
【図２】
2006325498.tif 000004
【図３】
2006325498.tif 000005
【図４】
2006325498.tif 000006